(57)【要約】【課題】再生対象となるデータの内容把握に要する時間を短縮することができるコンテンツ処理装置、方法、プログラムおよびシステムを提供すること。【解決手段】コンテンツ処理装置１は、再生対象となる複数のコンテンツデータのそれぞれのデータ形式を識別するコンテンツ識別部１１と、コンテンツ識別部１１によって識別されたデータ形式が再生不可能なものである場合に、コンテンツデータの内容を示すメタ情報の解読に必要な解読情報を携帯端末装置１００から取得する解読情報取得部１２と、解読情報取得部１２によって取得した解読情報に基づいて、コンテンツデータの内容を示すメタ情報を解読して取得するメタ情報取得部１３と、メタ情報取得部１３によって取得したメタ情報を表示するコンテンツリスト作成部１４とを備える。【選択図】図１
2015207327.tif 000002
【特許請求の範囲】
【請求項１】
再生対象となる複数のコンテンツデータのそれぞれのデータ形式を識別するコンテンツ識別手段と、
前記コンテンツ識別手段によって識別されたデータ形式が再生不可能なものである場合に、前記コンテンツデータの内容を示すメタ情報の解読に必要な解読情報を外部装置から取得する解読情報取得手段と、
前記解読情報取得手段によって取得した解読情報に基づいて、前記コンテンツデータの内容を示すメタ情報を解読して取得するメタ情報取得手段と、
前記メタ情報取得手段によって取得したメタ情報を表示するコンテンツ表示手段と、
を備えることを特徴とするコンテンツ処理装置。
【請求項２】
請求項１において、
前記コンテンツ識別手段は、記録媒体が接続あるいは装填されたときに、この記録媒体に記録されたコンテンツデータのデータ形式を識別することを特徴とするコンテンツデータ再生装置。
【請求項３】
請求項１または２において、
前記コンテンツ表示手段は、前記メタ情報の一部あるいは全部を前記コンテンツデータ毎にリスト形式で表示することを特徴とするコンテンツ処理装置。
【請求項４】
請求項１〜３のいずれか一項において、
前記コンテンツ表示手段によってメタ情報が表示されたコンテンツの中から再生対象となるコンテンツを選択するコンテンツ選択手段と、
前記コンテンツ選択手段によって選択されたコンテンツに対応するコンテンツデータを読み出して再生するコンテンツ再生手段と、
をさらに備えることを特徴とするコンテンツ処理装置。
【請求項５】
請求項４において、
前記コンテンツ選択手段によって選択されたコンテンツのデータ形式が再生不可能なものである場合に、このコンテンツを指定して再生可能なデータ形式に変換されたコンテンツデータを前記外部装置から取得するコンテンツデータ取得手段をさらに備えることを特徴とするコンテンツ処理装置。
【請求項６】
相互に接続されたコンテンツ処理装置と外部装置とを備えるコンテンツ処理システムであって、
前記コンテンツ処理装置は、
再生対象となる複数のコンテンツデータのそれぞれのデータ形式を識別するコンテンツ識別手段と、
前記コンテンツ識別手段によって識別されたデータ形式が再生不可能なものである場合に、前記コンテンツデータの内容を示すメタ情報の解読に必要な解読情報を外部装置から取得する解読情報取得手段と、
前記解読情報取得手段によって取得した解読情報に基づいて、前記コンテンツデータの内容を示すメタ情報を解読して取得するメタ情報取得手段と、
前記メタ情報取得手段によって取得したメタ情報を表示するコンテンツ表示手段と、を備え、
前記外部装置は、
前記コンテンツ処理装置から前記解読情報の送信が依頼されたときに、該当する前記解読情報を前記コンテンツ処理装置に提供する解読情報提供手段と、を備えることを特徴とするコンテンツ処理システム。
【請求項７】
再生対象となる複数のコンテンツデータのそれぞれのデータ形式をコンテンツ識別手段によって識別するステップと、
前記コンテンツ識別手段によって識別されたデータ形式が再生不可能なものである場合に、前記コンテンツデータの内容を示すメタ情報の解読に必要な解読情報を解読情報取得手段によって外部装置から取得するステップと、
前記解読情報取得手段によって取得した解読情報に基づいて、メタ情報取得手段によって、前記コンテンツデータの内容を示すメタ情報を解読して取得するステップと、
前記メタ情報取得手段によって取得したメタ情報をコンテンツ表示手段によって表示するステップと、
を有することを特徴とするコンテンツ処理方法。
【請求項８】
コンピュータを、
再生対象となる複数のコンテンツデータのそれぞれのデータ形式を識別するコンテンツ識別手段と、
前記コンテンツ識別手段によって識別されたデータ形式が再生不可能なものである場合に、前記コンテンツデータの内容を示すメタ情報の解読に必要な解読情報を外部装置から取得する解読情報取得手段と、
前記解読情報取得手段によって取得した解読情報に基づいて、前記コンテンツデータの内容を示すメタ情報を解読して取得するメタ情報取得手段と、
前記メタ情報取得手段によって取得したメタ情報を表示するコンテンツ表示手段と、
して機能させるためのコンテンツ処理プログラム。
【発明の詳細な説明】
【技術分野】
【０００１】
本発明は、複数種類のデータ形式を有する複数のコンテンツデータを再生するコンテンツ処理装置、方法、プログラムおよびシステムに関する。
【背景技術】
【０００２】
従来から、再生不可能なデータ形式のコンテンツデータが入力されたときに、変換サーバにこのコンテンツデータのデータ形式の変換を依頼することにより、再生可能なデータ形式のコンテンツデータを取得するようにした変換システムが知られている（例えば、特許文献１参照。）。また、再生不可能なデータ形式のデータが選択されたときに、このデータ形式を再生可能なデータ形式に変換するために必要なデータ形式変換プログラムを変換サーバから取得するようにした再生システムが知られている（例えば、特許文献２参照。）。
【先行技術文献】
【特許文献】
【０００３】
【特許文献１】特開２００６−１２９４６８号公報
【特許文献２】特開２００４−２０８０５７号公報
【発明の概要】
【発明が解決しようとする課題】
【０００４】
再生対象となるコンテンツデータとして音楽データを考えた場合に、上述した特許文献１に開示された変換システムや特許文献２に開示された再生システムを用いることにより、再生不可能なデータ形式の音楽データを再生することが可能となる。
【０００５】
ところで、複数の音楽データがメモリ等に格納されていてその中から一つを選択して再生する場合には、この選択の前提として、それぞれの音楽データの内容（例えば、アーティスト名、アルバム名、楽曲名など）がわかっている必要がある。しかし、上述した特許文献１に開示された変換システムでは、自装置（変換対応クライアント）では変換サーバにコンテンツデータを送って再生可能なデータ形式のコンテンツデータを受信するまではこのコンテンツデータの内容を把握することができず、利用者の内容把握に時間がかかるとともに、このデータが選択されない場合には取得した再生可能なデータ全体が無駄になるおそれがあるという問題があった。
【０００６】
また、上述した特許文献２に開示された再生システムでは、変換サーバからデータ形式変換プログラムを取得することになるが、再生対象となるデータ全体のデータ形式を変換するためのものであるため、一般にはこのプログラムの容量は大きく、このプログラムを取得してから再生対象データの内容を利用者が把握するまでの時間がかかるという問題があった。また、このデータが選択されない場合には取得したデータ変換プログラムが無駄になるおそれがあるという問題があった。
【０００７】
本発明は、このような点に鑑みて創作されたものであり、その目的は、再生対象となるデータの内容把握に要する時間を短縮するとともに、再生対象として指定されない場合の取得データの無駄を削減することができるコンテンツ処理装置、方法、プログラムおよびコンテンツ処理システムを提供することにある。
【課題を解決するための手段】
【０００８】
上述した課題を解決するために、本発明のコンテンツ処理装置は、再生対象となる複数のコンテンツデータのそれぞれのデータ形式を識別するコンテンツ識別手段と、コンテンツ識別手段によって識別されたデータ形式が再生不可能なものである場合に、コンテンツデータの内容を示すメタ情報の解読に必要な解読情報を外部装置から取得する解読情報取得手段と、解読情報取得手段によって取得した解読情報に基づいて、コンテンツデータの内容を示すメタ情報を解読して取得するメタ情報取得手段と、メタ情報取得手段によって取得したメタ情報を表示するコンテンツ表示手段とを備えている。
【０００９】
本発明のコンテンツ処理システムは、相互に接続されたコンテンツ処理装置と外部装置とを備える。コンテンツ処理装置は、再生対象となる複数のコンテンツデータのそれぞれのデータ形式を識別するコンテンツ識別手段と、コンテンツ識別手段によって識別されたデータ形式が再生不可能なものである場合に、コンテンツデータの内容を示すメタ情報の解読に必要な解読情報を外部装置から取得する解読情報取得手段と、解読情報取得手段によって取得した解読情報に基づいて、コンテンツデータの内容を示すメタ情報を解読して取得するメタ情報取得手段と、メタ情報取得手段によって取得したメタ情報を表示するコンテンツ表示手段とを備えている。外部装置は、コンテンツ処理装置から解読情報の送信が依頼されたときに、該当する解読情報をコンテンツ処理装置に提供する解読情報提供手段を備えている。
【００１０】
本発明のコンテンツ処理方法は、再生対象となる複数のコンテンツデータのそれぞれのデータ形式をコンテンツ識別手段によって識別するステップと、コンテンツ識別手段によって識別されたデータ形式が再生不可能なものである場合に、コンテンツデータの内容を示すメタ情報の解読に必要な解読情報を解読情報取得手段によって外部装置から取得するステップと、解読情報取得手段によって取得した解読情報に基づいて、メタ情報取得手段によって、コンテンツデータの内容を示すメタ情報を解読して取得するステップと、メタ情報取得手段によって取得したメタ情報をコンテンツ表示手段によって表示するステップとを有している。
【００１１】
本発明のコンテンツ処理プログラムは、コンピュータを、再生対象となる複数のコンテンツデータのそれぞれのデータ形式を識別するコンテンツ識別手段と、コンテンツ識別手段によって識別されたデータ形式が再生不可能なものである場合に、コンテンツデータの内容を示すメタ情報の解読に必要な解読情報を外部装置から取得する解読情報取得手段と、解読情報取得手段によって取得した解読情報に基づいて、コンテンツデータの内容を示すメタ情報を解読して取得するメタ情報取得手段と、メタ情報取得手段によって取得したメタ情報を表示するコンテンツ表示手段として機能させる。
【００１２】
本発明では、再生できないデータ形式のコンテンツデータがあったときに、その内容を示すメタ情報の解読に必要な解読情報を外部装置から取得してメタ情報の解読を行っている。一般に、コンテンツデータに含まれるメタ情報の格納位置はデータ形式毎に決まっており、メタ情報を取得するために必要な解読情報のデータ量は少ない。このため、コンテンツデータを再生可能なデータ形式に変換する場合や、この変換プログラムを取得する場合に比べて、コンテンツデータの内容把握に要する時間を短縮することができる。
【００１３】
また、上述したコンテンツ識別手段は、記録媒体が接続あるいは装填されたときに、この記録媒体に記録されたコンテンツデータのデータ形式を識別することが望ましい。これにより、新たに接続あるいは装填された記録媒体に含まれる各コンテンツについて、短時間にその内容把握を行うことが可能となる。
【００１４】
また、上述したコンテンツ表示手段は、メタ情報の一部あるいは全部をコンテンツデータ毎にリスト形式で表示することが望ましい。これにより、再生対象となりうるコンテンツの内容を比較することが可能となる。
【００１５】
また、上述したコンテンツ表示手段によってメタ情報が表示されたコンテンツの中から再生対象となるコンテンツを選択するコンテンツ選択手段と、コンテンツ選択手段によって選択されたコンテンツに対応するコンテンツデータを読み出して再生するコンテンツ再生手段とをさらに備えることが望ましい。これにより、自装置のみで再生可能か否かに関係なく各コンテンツの内容を確認した後に、再生を希望するコンテンツを選択して再生を行うことが可能となる。
【００１６】
また、上述したコンテンツ選択手段によって選択されたコンテンツのデータ形式が再生不可能なものである場合に、このコンテンツを指定して再生可能なデータ形式に変換されたコンテンツデータを外部装置から取得するコンテンツデータ取得手段をさらに備えることが望ましい。これにより、再生不可能なデータ形式のコンテンツが選択された場合であってもこのコンテンツの再生を行うことが可能となる。また、再生対象として選択された後にコンテンツについてデータ形式の変換が行われるため、再生対象として選択されないコンテンツについて無駄にデータを取得することがなく、取得データの無駄を削減することができる。
【図面の簡単な説明】
【００１７】
【図１】一実施形態のコンテンツ処理システムに含まれるコンテンツ処理装置の詳細構成を示す図である。
【図２】コンテンツ処理システムの全体構成および携帯端末装置の詳細構成を示す図である。
【図３】コンテンツ処理装置の動作手順を示す流れ図である。
【図４】携帯端末装置の動作手順を示す流れ図である。
【図５】コンテンツデータに含まれるメタ情報の具体例を示す図である。
【発明を実施するための形態】
【００１８】
以下、本発明を適用した一実施形態のコンテンツ処理システムについて、図面を参照しながら説明する。
【００１９】
図１は、一実施形態のコンテンツ処理システムに含まれるコンテンツ処理装置の詳細構成を示す図である。このコンテンツ処理装置は、例えば車両に搭載されている。図１に示すように、コンテンツ処理装置１は、制御部１０、ＵＳＢ（Universal Serial Bus）インタフェース部（ＵＳＢ  Ｉ／Ｆ）２０、ＳＤ（Secure Digital）インタフェース部（ＳＤ  Ｉ／Ｆ）２６、コンテンツリスト格納部３０、コンテンツデータ格納部３２、オーディオ処理部４０、増幅器４２、表示処理部５０、操作部６０を備えている。
【００２０】
制御部１０は、コンテンツ処理装置１の全体を制御するものであり、ＲＯＭやＲＡＭに格納された所定のプログラムをＣＰＵで実行するコンピュータとしての構成により実現される。ＵＳＢインタフェース部２０は、携帯端末装置１００との間でＵＳＢ形式の信号の入出力を行うためのものであり、少なくとも１つのＵＳＢポートとＵＳＢホストコントローラが含まれる。
【００２１】
ＳＤインタフェース部２６は、外部の記録メディアとしてのＳＤメモリカード２８との間で信号の入出力を行うためのものであり、１つのＳＤカードスロットとＳＤホストコントローラが含まれる。ＳＤメモリカード２８には音楽データ等のコンテンツデータが記録されている。
【００２２】
コンテンツリスト格納部３０は、ＳＤメモリカード２８に記録された複数のコンテンツデータの内容を示すメタ情報を含むコンテンツリストを格納する。コンテンツデータ格納部３２は、再生できないデータ形式のコンテンツデータを再生可能なデータ形式に変換した結果が携帯端末装置１００から送られてきたときにこの変換後のコンテンツデータを格納する。
【００２３】
オーディオ処理部４０は、ＳＤメモリカード２８あるいはコンテンツデータ格納部３２から読み出されるコンテンツデータを再生（音声出力）するためのものである。例えば、各種のデータ形式に特有の復号化処理が制御部１０によって行われてＰＣＭ（Pulse Code Modulation ）データがオーディオ処理部４０に入力される。オーディオ処理部４０は、入力されるＰＣＭデータをアナログのオーディオ信号に変換する。このオーディオ信号は、増幅器４２によって増幅され、スピーカ４４から出力される。なお、実際には、２チャンネルあるいはそれ以上のチャンネル数のオーディオ信号が再生されて出力されるが、図１に示す構成では、簡略化して１つの増幅器４２と１つのスピーカ４４が図示されている。
【００２４】
表示処理部５０は、ＳＤメモリカード２８あるいはコンテンツデータ格納部３２から読み出されるコンテンツデータを再生（映像表示）したり、制御部１０によって生成されるコンテンツリストやその他の制御情報等を表示するためのものである。例えば、各種のデータ形式に特有の復号化処理が制御部１０によって行われてＲＧＢデータが表示処理部５０に入力される。表示処理部５０は、入力されるＲＧＢデータを所定の映像信号に変換する。この映像信号は、表示装置５２に入力されてコンテンツの映像表示が行われる。
【００２５】
操作部６０は、利用者による各種操作を受け付けるためのものであり、各種のスイッチや操作つまみ等が備わっている。なお、表示装置５２の画面に重ねて配置されるタッチパネルを用いて操作部６０を構成したり、リモートコントロールユニット等を用いて操作部を構成するようにしてもよい。
【００２６】
次に、制御部１０について説明する。図１に示すように、制御部１０は、コンテンツ識別部１１、解読情報取得部１２、メタ情報取得部１３、コンテンツリスト作成部１４、コンテンツ選択部１５、コンテンツデータ取得部１６、コンテンツ再生部１７を含んで構成されている。
【００２７】
コンテンツ識別部１１は、ＳＤメモリカード２８がＳＤインタフェース部２６に接続されたときに、このＳＤメモリカード２８に記録されたコンテンツデータのデータ形式を識別する。解読情報取得部１２は、コンテンツ識別部１１によって識別されたデータ形式が再生不可能なものである場合に、コンテンツデータの内容を示すメタ情報の解読に必要な解読情報を携帯端末装置１００から取得する。メタ情報取得部１３は、解読情報取得部１２によって取得した解読情報に基づいて、コンテンツデータの内容を示すメタ情報を解読して取得する。
【００２８】
コンテンツリスト作成部１４は、メタ情報取得部１３によって取得したメタ情報を含むコンテンツリストを作成して表示する。このコンテンツリストは、メタ情報の一部あるいは全部をコンテンツ毎にリスト形式で表示するためのものである。コンテンツ選択部１５は、コンテンツリスト作成部１４によってメタ情報が表示されたコンテンツの中から再生対象となるコンテンツを、操作部６０を用いて行われる利用者の操作指示に応じて選択する。
【００２９】
コンテンツデータ取得部１６は、再生が指定されたコンテンツのデータ形式が再生不可能なものである場合に、このコンテンツを指定して再生可能なデータ形式に変換されたコンテンツデータを携帯端末装置１００から取得する。データ形式変換後のコンテンツデータは、コンテンツデータ格納部３２に格納される。
【００３０】
コンテンツ再生部１７は、コンテンツ選択部１５によって選択されたコンテンツに対応するコンテンツデータを読み出して再生する。具体的には、再生可能なデータ形式のコンテンツデータはＳＤメモリカード２８から読み出される。また、再生不可能なデータ形式のコンテンツデータについては再生可能なデータ形式に変換された後のコンテンツデータがコンテンツデータ取得部１６から読み出される。
【００３１】
図２は、コンテンツ処理システムの全体構成および携帯端末装置１００の詳細構成を示す図である。図２に示す携帯端末装置１００は、一般にスマートフォンと称されるものであり、携帯電話機と携帯情報端末の機能を有する。この携帯端末装置１００は、制御部１１２、操作部１１４、表示部１１６、電話処理部１１８、ＵＳＢインタフェース部（ＵＳＢ  Ｉ／Ｆ）１２０を備えている。
【００３２】
制御部１１２は、携帯端末装置１００の全体を制御するためのものであり、ＲＯＭやＲＡＭに格納された所定のプログラムをＣＰＵで実行するコンピュータとしての構成により実現される。操作部１１４は、テンキーやその他のキーおよび各種のスイッチを含んでおり、利用者の操作指示や各種の入力を受け付ける。タッチパネルで構成した操作部１１４を用いて、画面に表示したテンキー等を利用者が指等で指し示すようにしてもよい。
【００３３】
表示部１１６は、ＬＣＤ（液晶表示装置）等で構成されており、操作部１１４を用いた操作内容や制御部１１２による制御内容および処理内容などが表示される。電話処理部１１８は、携帯電話機としての処理を行う。例えば、電話処理部１１８は、基地局との間で発着信処理を行って通話処理やインターネット接続処理等を行う。コンテンツ処理サーバ２００との間で行われる各種のデータの送受信は、この電話処理部１１８を介して行われる。
【００３４】
ＵＳＢインタフェース部１２０は、ＵＳＢデバイス（ターゲット）としての携帯端末装置１００とＵＳＢホストとしてのコンテンツ処理装置１との間で信号の入出力を行うためのものであり、ＵＳＢターゲットコントローラを含んでいる。
【００３５】
次に、制御部１１２について説明する。図２に示すように、制御部１１２は、解読情報提供部１１２Ａとデータ形式変換部１１２Ｂとを含んで構成されている。解読情報提供部１１２Ａは、コンテンツ処理装置１からコンテンツデータとともにこのコンテンツデータに含まれるメタ情報の解読に必要な解読情報の送信が依頼されたときに、このコンテンツデータのデータ形式に対応する解読情報をコンテンツ処理装置１に対して提供する処理を行う。例えば、データ形式毎の解読情報が予めメモリ（図示せず）に格納されており、解読情報提供部１１２Ａは、該当する解読情報を読み出して、送信依頼がなされたコンテンツ処理装置１にＵＳＢインタフェース部１２０を介して送信する。
【００３６】
データ形式変換部１１２Ｂは、コンテンツ処理装置１からコンテンツデータとともにデータ形式の変換が依頼されたときに、このコンテンツデータのデータ形式をコンテンツ処理装置１が再生可能なデータ形式に変換（例えば、再生可能なデータ形式を指定する情報がデータ形式の変換依頼に含まれるものとする）し、変換後のコンテンツデータをコンテンツ処理装置１に向けて送信する処理を行う。例えば、データ形式毎のコーデック（変換プログラム）が予めメモリ（図示せず）に格納されており、データ形式変換部１１２Ｂは、該当するコーデックを読み出して、変換依頼がなされたコンテンツに対する変換処理を実施し、その結果をＵＳＢインタフェース部１２０を介してコンテンツ処理装置１に送信する。
【００３７】
上述したコンテンツ識別部１１がコンテンツ識別手段に、解読情報取得部１２が解読情報取得手段に、メタ情報取得部１３がメタ情報取得手段に、コンテンツリスト作成部１４がコンテンツ表示手段に、コンテンツ選択部１５がコンテンツ選択手段に、コンテンツデータ取得部１６がコンテンツデータ取得手段に、コンテンツ再生部１７がコンテンツ再生手段にそれぞれ対応する。また、解読情報提供部１１２Ａが解読情報提供手段に対応する。
【００３８】
本実施形態のコンテンツ処理システムはこのような構成を有しており、次にその動作を説明する。
【００３９】
図３は、コンテンツ処理装置１の動作手順を示す流れ図である。コンテンツ識別部１１は、ＳＤインタフェース部２６にＳＤメモリカード２８が接続されたか否かを判定する（ステップ１００）。接続されない場合には否定判断が行われ、この判定が繰り返される。また、ＳＤメモリカード２８が接続された場合にはステップ１００の判定において肯定判断が行われる。
【００４０】
次に、コンテンツ識別部１１は、ＳＤメモリカード２８に記録された複数のコンテンツデータのそれぞれのデータ形式を識別する（ステップ１０２）。データ形式の識別は、例えば、コンテンツデータのファイル識別子に基づいて行うことができる。また、コンテンツ識別部１１は、データ形式の識別結果に基づいて、再生できない種類（データ形式）のコンテンツがあるか否かを判定する（ステップ１０４）。再生できないコンテンツがある場合には肯定判断が行われ、解読情報取得部１２は、携帯端末装置１００に再生できないコンテンツを送信して、このコンテンツに含まれるメタ情報を解読する解読情報の取得を依頼する（ステップ１０６）。その後、解読情報取得部１２は、携帯端末装置１００からメタ情報の解読情報を受信したか否かを判定する（ステップ１０８）。未受信の場合には否定判断が行われてこの判定が繰り返される。
【００４１】
また、解読情報が受信されるとステップ１０８の判定において肯定判断が行われる。また、解読情報取得部１２は、解読情報が取得できていないコンテンツが他にあるか否かを判定する（ステップ１１０）。再生できない他の種類のコンテンツが他にある場合には肯定判断が行われ、ステップ１０６に戻って、解読情報の取得依頼以降の動作が繰り返される。
【００４２】
また、再生できないコンテンツが他にない場合にはステップ１１０の判定において否定判断が行われる。次に、メタ情報取得部１３は、取得した解読情報を用いて各コンテンツのメタ情報を解読し、コンテンツリスト作成部１４は、メタ情報取得部１３によって取得したメタ情報を含むコンテンツリストを作成して表示する（ステップ１１２）。具体的には、取得したメタ情報の一部あるいは全部がコンテンツ毎にリスト形式で表示装置５２に表示される。なお、ＳＤメモリカード２８に記録された複数のコンテンツの中に、コンテンツ処理装置１自身が有するコーデックによって再生可能なデータ形式のコンテンツが含まれる場合には、このコーデックを用いて取得したコンテンツのメタ情報も含まれる。
【００４３】
次に、コンテンツ選択部１５は、利用者の操作指示に応じて、再生対象となるコンテンツが選択されたか否かを判定する（ステップ１１４）。選択されない場合には否定判断が行われ、ステップ１１２に戻ってメタ情報のリスト表示が繰り返される。また、いずれかのコンテンツが選択された場合にはステップ１１４の判定において肯定判断が行われる。次に、コンテンツデータ取得部１６は、この選択されたコンテンツが再生可能か否かを判定する（ステップ１１６）。再生可能な場合には肯定判断が行われ、コンテンツ再生部１７は、この選択されたコンテンツの再生を行う（ステップ１１８）。
【００４４】
また、選択されたコンテンツが再生不可能な場合（再生できないデータ形式の場合）にはステップ１１６の判定において否定判断が行われる。次に、コンテンツデータ取得部１６は、携帯端末装置１００にこの再生できないコンテンツを送信して、再生可能なデータ形式への変換を依頼する（ステップ１２０）。その後、コンテンツデータ取得部１６は、データ形式が変換されたコンテンツデータを受信したか否かを判定する（ステップ１２２）。未受信の場合には否定判断が行われ、この判定が繰り返される。また、データ形式変換後のコンテンツデータを受信した場合にはステップ１２０の判定において肯定判断が行われる。この受信したコンテンツデータは、コンテンツデータ格納部３２に格納される。その後、ステップ１１８に以降して、受信したコンテンツデータを用いてコンテンツの再生が行われる。コンテンツの再生が終了すると、ステップ１１２に戻ってコンテンツリスト表示以降の動作が繰り返される。
【００４５】
図４は、携帯端末装置１００の動作手順を示す流れ図である。解読情報提供部１１２Ａは、コンテンツ処理装置１から解読情報の取得依頼があったか否かを判定する（ステップ２００）。図３に示したステップ１０６の動作において解読情報取得部１２によってこの依頼がなされた場合には肯定判断が行われる。次に、解読情報提供部１１２Ａは、この依頼とともに送られてくるコンテンツデータに基づいて、コンテンツのメタ情報解読に必要な解読情報を特定し（ステップ２０２）、コンテンツ処理装置１に送信する（ステップ２０４）。その後、ステップ２００に戻って、解読情報の取得依頼の有無判定が繰り返される。
【００４６】
また、解読情報の取得依頼がない場合にはステップ２００の判定において否定判断が行われる。次に、データ形式変換部１１２Ｂは、コンテンツ処理装置１からデータ形式の変換依頼があったか否かを判定する（ステップ２０６）。図３に示したステップ１２０の動作においてコンテンツデータ取得部１６によってこの依頼がなされた場合には肯定判断が行われる。次に、データ形式変換部１１２Ｂは、この依頼とともに送られてくるコンテンツデータのデータ形式を、指定されたデータ形式に変換し（ステップ２０８）、変換後のデータ形式のコンテンツデータをコンテンツ処理装置１に送信する（ステップ２１０）。その後、あるいは、データ形式の変換依頼がない場合にはステップ２０６において否定判断が行われた後、ステップ２００に戻って、解読情報の取得依頼の有無判定が繰り返される。
【００４７】
図５は、コンテンツデータに含まれるメタ情報の具体例を示す図である。図５に示すＭＰ３オーディオファイルのコンテンツデータは、ＭＰ３ヘッダ、オーディオデータ、ＩＤ３タグによって構成されている。この中で、ＩＤタグがこのコンテンツの内容を示すメタ情報である。ＩＤ３タグには、オーディオデータの内容を示す曲名、アーティスト名、アルバム名等が含まれている。このＩＤ３タグの位置は予め決まっており、このＩＤ３タグの内容を読み出すための解読情報は、ＭＰ３オーディオファイルのコーデックに比べて非常に少ないデータで作成することができる。なお、ＭＰ３オーディオファイル以外の他のコンテンツデータにも、同様のメタ情報（その内容や種類はデータ形式毎に異なり、必ずしも上述したＭＰ３オーディオファイルと同じ内容のメタ情報が含まれているわけではない）が含まれ、各データ形式に対応する解読情報を用いて、コンテンツデータの中から読み出すことができる。
【００４８】
このように、本実施形態のコンテンツ処理装置１では、再生できないデータ形式のコンテンツデータがあったときに、その内容を示すメタ情報の解読に必要な解読情報を携帯端末装置１００から取得してメタ情報の解読を行っている。一般に、コンテンツデータに含まれるメタ情報の格納位置はデータ形式毎に決まっており、メタ情報を取得するために必要な解読情報のデータ量は少ない。このため、コンテンツデータを再生可能なデータ形式に変換する場合や、この変換プログラムを取得する場合に比べて、コンテンツデータの内容把握に要する時間を短縮することができる。
【００４９】
また、ＳＤメモリカード２８が接続されたときに、このＳＤメモリカード２８に記録されたコンテンツデータのデータ形式を識別しており、新たに接続されたＳＤメモリカード２８に含まれる各コンテンツについて、短時間にその内容把握を行うことが可能となる。また、メタ情報の一部あるいは全部をコンテンツデータ毎にリスト形式で表示することにより、再生対象となりうるコンテンツの内容を比較することが可能となる。また、自装置のみで再生可能か否かに関係なく各コンテンツの内容を確認した後に、再生を希望するコンテンツを選択して再生を行うことが可能となる。
【００５０】
また、再生対象として選択されたコンテンツのデータ形式が再生不可能なものである場合に、このコンテンツを指定して再生可能なデータ形式に変換されたコンテンツデータを携帯端末装置１００から取得している。これにより、再生不可能なデータ形式のコンテンツが選択された場合であってもこのコンテンツの再生を行うことが可能となる。また、再生対象として選択された後にコンテンツについてデータ形式の変換が行われるため、再生対象として選択されないコンテンツについて無駄にデータを取得することがなく、取得データの無駄を削減することができる。
【００５１】
なお、本発明は上記実施形態に限定されるものではなく、本発明の要旨の範囲内において種々の変形実施が可能である。例えば、上述した実施形態では、ＳＤインタフェース部２６にＳＤメモリカード２８が接続されたときにこのＳＤメモリカード２８に記録されたコンテンツデータを対象にデータ形式を識別するようにしたが、ＳＤメモリカード２８以外の記録媒体、例えば、ＵＳＢインタフェース部２０に接続されるＵＳＢメモリや、ディスクドライブに装填されるＣＤ、ＣＤ−Ｒ、ＤＶＤ、ＤＶＤ−Ｒ等に記録されたコンテンツデータを対象にデータ形式の識別を行うようにしてもよい。
【００５２】
また、上述した実施形態では、コンテンツ処理装置１と携帯端末装置１００との間をＵＳＢ接続したが、これらの間をブルートゥース（登録商標）接続したり、無線ＬＡＮなどによって接続するようにしてもよい。
【００５３】
また、上述した実施形態では、解読情報の取得依頼をコンテンツ処理装置１から携帯端末装置１００に送る際にコンテンツデータを送るようにしたが、代わりにコンテンツのデータ形式を指定するようにしてもよい。例えば、データ形式は、コンテンツデータのファイルの拡張子に基づいて特定することができる。
【００５４】
また、上述した実施形態では、携帯端末装置１００によって解読情報の送信やコンテンツデータのデータ形式変換を行ったが、これらの処理を全てのデータ形式に対応して行うことができるとは限らない。このような場合、すなわち解読情報やデータ形式の変換プログラムを有しない場合には、携帯端末装置１００からコンテンツ処理サーバ２００に対してこれらの情報やプログラムの送信を依頼し、必要な情報等を入手するようにしてもよい。また、携帯端末装置１００の解読情報提供部１１２Ａとデータ形式変換部１１２Ｂの機能をコンテンツ処理サーバ２００に持たせ、コンテンツ処理装置１からコンテンツ処理サーバ２００に対して解読情報の送信を依頼したり、コンテンツデータのデータ形式変換を依頼するようにしてもよい。
【００５５】
また、上述した実施形態では、車両に搭載されたコンテンツ処理装置１について説明したが、車両以外で用いられる、例えば屋内あるいは屋外で用いられるコンテンツ処理装置についても本発明を適用することができる。
【産業上の利用可能性】
【００５６】
上述したように、本発明によれば、再生できないデータ形式のコンテンツデータがあったときに、その内容を示すメタ情報の解読に必要な解読情報を外部装置から取得してメタ情報の解読を行っており、コンテンツデータを再生可能なデータ形式に変換する場合や、この変換プログラムを取得する場合に比べて、コンテンツデータの内容把握に要する時間を短縮することができる。
【符号の説明】
【００５７】
１  コンテンツ処理装置
１０、１１２  制御部
１１  コンテンツ識別部
１２  解読情報取得部
１３  メタ情報取得部
１４  コンテンツリスト作成部
１５  コンテンツ選択部
１６  コンテンツデータ取得部
１７  コンテンツ再生部
２０、１２０  ＵＳＢインタフェース部（ＵＳＢ  Ｉ／Ｆ）
２６  ＳＤインタフェース部（ＳＤ  Ｉ／Ｆ）
２８  ＳＤメモリカード
３０  コンテンツリスト格納部
３２  コンテンツデータ格納部
４０  オーディオ処理部
５０  表示処理部
１００  携帯端末装置
１１２Ａ  解読情報提供部
１１２Ｂ  データ形式変換部
【図１】
2015207327.tif 000003
【図２】
2015207327.tif 000004
【図３】
2015207327.tif 000005
【図４】
2015207327.tif 000006
【図５】
2015207327.tif 000007